【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
ワイヤレスモバイル通信デバイスにおいて、エンコードされたメッセージを処理する方法であって、
該ワイヤレスモバイル通信デバイスにおいて、エンコードされたメッセージを受信するステップであって、デコードされたメッセージが該ワイヤレスモバイル通信デバイス内で用いられる前に、該エンコードされたメッセージに対して複数のデコーディング動作が実行される、ステップと、
該ワイヤレスモバイル通信デバイスによって、該エンコードされたメッセージに対して第１のデコーディング動作を実行することにより、部分的にデコードされたメッセージを生成するステップであって、該第１のデコーディング動作は、該エンコードされたメッセージに対して実行されるべき該複数のデコーディング動作のうちの少なくとも１つを実行する、ステップと、
該部分的にデコードされたメッセージを該ワイヤレスモバイル通信デバイスのメモリに格納するステップと、
該第１のデコーディング動作の完了後、かつ、該部分的にデコードされたメッセージが該メモリに格納された後に、該メッセージの受信の表示を作成するステップと、
該受信されたメッセージにアクセスするためのリクエストを受信するステップと、
該受信されたメッセージにアクセスするためのリクエストを受信することに応答して、該部分的にデコードされたメッセージを該メモリから取り出すステップと、
該受信されたメッセージにアクセスするためのリクエストを受信した後に、該ワイヤレスモバイル通信デバイスによって、該部分的にデコードされたメッセージに対して第２のデコーディング動作を実行することにより、該ワイヤレスモバイル通信デバイス内で用いられるデコードされたメッセージを生成するステップと
を包含し、
該メッセージは、署名された後に暗号化されることによってエンコードされ、該受信されたメッセージにアクセスするためのリクエストを受信する前に実行される該第１のデコーディング動作は、トランスミッションエンコーディングに関連付けられたデコーディング動作と、少なくとも１つの復号化鍵の取り出しと、該取り出された復号化鍵を用いる該メッセージの部分的復号化とを含み、該メッセージの部分的復号化は、該メッセージの署名を復号化することを含まず、該第２のデコーディング動作は、該取り出された復号化鍵を用いる該部分的にデコードされたメッセージの復号化と、該デコードされたメッセージに対する署名の検証とを含む、方法。
【請求項２】
コンピュータ読み取り可能媒体に格納されたコンピュータソフトウェアであって、該コンピュータソフトウェアは、エンコードされたメッセージをワイヤレスモバイル通信デバイスにて処理する方法を実行するためのプログラムコードを含み、該方法は、
該ワイヤレスモバイル通信デバイスによって、該エンコードされたメッセージに対して第１のデコーディング動作を実行することにより、部分的にデコードされたメッセージを生成するステップであって、該第１のデコーディング動作は、該エンコードされたメッセージに対して実行されるべき複数のデコーディング動作のうちの少なくとも１つを実行する、ステップと、
該部分的にデコードされたメッセージを該ワイヤレスモバイル通信デバイスのメモリに格納するステップと、
該第１のデコーディング動作の完了後、かつ、該部分的にデコードされたメッセージが該メモリに格納された後に、該メッセージの受信の表示を作成するステップと、
受信されたメッセージにアクセスするためのリクエストに応答して、該部分的にデコードされたメッセージを該メモリから取り出すステップと、
該受信されたメッセージにアクセスするためのリクエストを受信した後に、該ワイヤレスモバイル通信デバイスによって、該部分的にデコードされたメッセージに対して第２のデコーディング動作を実行することにより、該ワイヤレスモバイル通信デバイス内で用いられるデコードされたメッセージを生成するステップと
を包含し、
該メッセージは、署名された後に暗号化されることによってエンコードされ、該受信されたメッセージにアクセスするためのリクエストを受信する前に実行される該第１のデコーディング動作は、トランスミッションエンコーディングに関連付けられたデコーディング動作と、少なくとも１つの復号化鍵の取り出しと、該取り出された復号化鍵を用いる該メッセージの部分的復号化とを含み、該メッセージの部分的復号化は、該メッセージの署名を復号化することを含まず、該第２のデコーディング動作は、該取り出された復号化鍵を用いる該部分的にデコードされたメッセージの復号化と、該デコードされたメッセージに対する署名の検証とを含む、コンピュータソフトウェア。
【請求項３】
エンコードされたメッセージをワイヤレスモバイル通信デバイスにて処理するシステムであって、該ワイヤレスモバイル通信デバイス内でメッセージが用いられる前に、該エンコードされたメッセージに対して複数のデコーディング動作が実行され、該システムは、
該エンコードされたメッセージへのデータアクセス接続を有する第１のデコーディングステージであって、該第１のデコーディングステージは、該エンコードされたメッセージに対して第１のデコーディング動作を実行することにより、部分的にデコードされたメッセージを生成し、該第１のデコーディングステージは、該複数のデコーディング動作のうちの少なくとも１つを実行する、第１のデコーディングステージと、
該部分的にデコードされたメッセージを格納するメモリであって、該システムは、該第１のデコーディング動作の完了後、かつ、該部分的にデコードされたメッセージが該メモリに格納された後に、該メッセージの受信の表示を作成する、メモリと、
該メモリに格納された該部分的にデコードされたメッセージへのデータアクセス接続を有する第２のデコーディングステージであって、該第２のデコーディングステージは、受信されたメッセージにアクセスするためのリクエストに応答して、該部分的にデコードされたメッセージに対して第２のデコーディング動作を実行することにより、該ワイヤレスモバイル通信デバイス内で用いられるデコードされたメッセージを生成する、第２のデコーディングステージと
を備え、
該第１のデコーディングステージおよび該第２のデコーディングステージは、該ワイヤレスモバイル通信デバイスのデータプロセッサ上で実行され、
該メッセージは、署名された後に暗号化されることによってエンコードされ、該受信されたメッセージにアクセスするためのリクエストを受信する前に実行される該第１のデコーディング動作は、トランスミッションエンコーディングに関連付けられたデコーディング動作と、少なくとも１つの復号化鍵の取り出しと、該取り出された復号化鍵を用いる該メッセージの部分的復号化とを含み、該メッセージの部分的復号化は、該メッセージの署名を復号化することを含まず、該第２のデコーディング動作は、該取り出された復号化鍵を用いる該部分的にデコードされたメッセージの復号化と、該デコードされたメッセージに対する署名の検証とを含む、システム。
【請求項４】
前記表示は、前記第２のデコーディング動作の前に作成される、請求項１に記載の方法。
【請求項５】
前記表示は、前記第２のデコーディング動作の前に作成される、請求項２に記載のコンピュータソフトウェア。
【請求項６】
前記表示は、前記第２のデコーディング動作の前に作成される、請求項３に記載のシステム。
【請求項７】
前記表示を作成するステップは、前記ワイヤレスモバイル通信デバイスのディスプレイ上に新しいメッセージの表示を作成することを包含する、請求項１に記載の方法。
【請求項８】
前記方法において、前記表示を作成するステップは、前記ワイヤレスモバイル通信デバイスのディスプレイ上に新しいメッセージの表示を作成することを包含する、請求項２に記載のコンピュータソフトウェア。
【請求項９】
前記システムによって作成される前記表示は、前記ワイヤレスモバイル通信デバイスのディスプレイ上に提供される新しいメッセージの表示を含む、請求項３に記載のシステム。